(57)【要約】【課題】写損画像と、写損画像の解析に適した対比用の診断画像とを収集する。【解決手段】放射線撮影制御装置であって、撮影部により撮影された放射線画像を取得する取得部と、放射線画像が写損画像である場合に撮影部により再撮影された放射線画像を、対比用の診断画像として抽出する抽出部と、写損画像と対比用の診断画像とを外部装置へ出力する出力部とを備える。【選択図】  図１
2017192509.tif 000002
【特許請求の範囲】
【請求項１】
撮影手段により撮影された放射線画像を取得する取得手段と、
前記放射線画像が写損画像である場合に前記撮影手段により再撮影された放射線画像を、対比用の診断画像として抽出する抽出手段と、
前記写損画像と前記対比用の診断画像とを外部装置へ出力する出力手段と、
を備えることを特徴とする放射線撮影制御装置。
【請求項２】
前記撮影手段により撮影された放射線画像が写損画像であることの入力を受け付ける入力手段をさらに備え、
前記撮影手段は、前記入力手段による入力に応じて放射線画像を再撮影することを特徴とする請求項１に記載の放射線撮影制御装置。
【請求項３】
前記撮影手段により撮影された放射線画像を編集する編集手段をさらに備え、
前記出力手段は、前記編集手段により同一の編集条件で編集された前記写損画像と前記対比用の診断画像とを前記外部装置へ出力することを特徴とする請求項１又は２に記載の放射線撮影制御装置。
【請求項４】
前記抽出手段は、前記写損画像と同一のシリーズＩＤが付与された放射線画像を前記対比用の診断画像として抽出することを特徴とする請求項１乃至３の何れか１項に記載の放射線撮影制御装置。
【請求項５】
前記シリーズＩＤはＤＩＣＯＭ付帯情報であることを特徴とする請求項４に記載の放射線撮影制御装置。
【請求項６】
前記抽出手段は、前記写損画像と同一の撮影方法ＩＤが付与された放射線画像を前記対比用の診断画像として抽出することを特徴とする請求項１乃至３の何れか１項に記載の放射線撮影制御装置。
【請求項７】
提案書請求項５をベース
前記抽出手段は、前記写損画像と同一の検査に属する放射線画像を前記対比用の診断画像として抽出することを特徴とする請求項１乃至３の何れか１項に記載の放射線撮影制御装置。
【請求項８】
前記抽出手段は、撮影方法ごとに予め保持された標準画像から、前記写損画像と同一の撮影方法ＩＤを有する標準画像を前記対比用の診断画像として抽出することを特徴とする請求項１乃至３の何れか１項に記載の放射線撮影制御装置。
【請求項９】
提案書請求項７をベース
前記抽出手段は、ユーザ選択に基づいて前記写損画像に対応する対比用の診断画像を抽出することを特徴とする請求項１乃至３の何れか１項に記載の放射線撮影制御装置。
【請求項１０】
放射線撮影制御装置の制御方法であって、
取得手段が、撮影手段により撮影された放射線画像を取得する取得工程と、
抽出手段が、前記放射線画像が写損画像である場合に前記撮影手段により再撮影された放射線画像を、対比用の診断画像として抽出する抽出工程と、
出力手段が、前記写損画像と前記対比用の診断画像とを外部装置へ出力する出力工程と、
を有することを特徴とする放射線撮影制御装置の制御方法。
【請求項１１】
コンピュータを、請求項１乃至９の何れか１項に記載の放射線撮影制御装置の各手段として機能させるためのプログラム。
【発明の詳細な説明】
【技術分野】
【０００１】
本発明は、放射線撮影制御装置、放射線撮影制御装置の制御方法及びプログラムに関する。
【背景技術】
【０００２】
従来、医用診断を目的とした放射線検査では、撮影の失敗による再撮影が必要になることがある。再撮影の原因は、撮影条件の不備、体動、ポジショニングなど多岐にわたる。再撮影の原因となった画像は悪影響を及ぼすため診断には用いられずに写損画像として廃棄される。
【０００３】
再撮影は患者の被爆だけでなく、放射線技師の作業時間、施設への信頼にも損失を与えている。そのため、再撮影の低減を目的に、失敗した撮影に関する情報を蓄積し、失敗原因の解析および対策検討が行われている。撮影した画像は一般的にはＰＡＣＳ（Ｐｉｃｔｕｒｅ  Ａｒｃｈｉｖｉｎｇ  ａｎｄ  Ｃｏｍｍｕｎｉｃａｔｉｏｎ  Ｓｙｓｔｅｍｓ）に出力されるが、写損画像の蓄積を目的としたＰＡＣＳを導入し、撮影失敗解析の環境が整いつつある施設もある。特許文献１では、写損画像の蓄積を効率化するため、再撮影が行われなかった正常な画像とは別の出力先に写損画像を送信することが開示されている。
【０００４】
また、近年では写損画像の解析機能が備わったＰＡＣＳの導入も進んでいる。このような写損解析システムでは、写損画像単独での解析のみならず、写損画像の成功例である診断画像との対比による解析も行われる。
【先行技術文献】
【特許文献】
【０００５】
【特許文献１】特許第４７６４０９８号公報
【発明の概要】
【発明が解決しようとする課題】
【０００６】
しかしながら、特許文献１に記載の技術では、対比用の診断画像を収集することができない。
【０００７】
本発明は、上記の課題に鑑みてなされたものであり、写損画像と、写損画像の解析に適した対比用の診断画像とを収集するための技術を提供することを目的とする。
【課題を解決するための手段】
【０００８】
上記の目的を達成する本発明に係る放射線撮影制御装置は、
撮影手段により撮影された放射線画像を取得する取得手段と、
前記放射線画像が写損画像である場合に前記撮影手段により再撮影された放射線画像を、対比用の診断画像として抽出する抽出手段と、
前記写損画像と前記対比用の診断画像とを外部装置へ出力する出力手段と、
を備えることを特徴とする。
【発明の効果】
【０００９】
本発明によれば、写損画像と、写損画像の解析に適した対比用の診断画像とを収集することができる。
【図面の簡単な説明】
【００１０】
【図１】本発明の一実施形態に係る放射線撮影システムの構成の一例を示す図。
【図２】本発明の一実施形態に係る新規検査入力画面の一例を示す図。
【図３】本発明の一実施形態に係る撮影画面の一例を示す図。
【図４】本発明の一実施形態に係る画像情報テーブルの一例を示す図。
【図５】本発明の一実施形態に係る処理の手順を示すフローチャート。
【図６】本発明の一実施形態に係る画像編集情報テーブルの一例を示す図。
【発明を実施するための形態】
【００１１】
以下、図面を参照しながら実施形態を説明する。なお、以下の実施形態において示す構成は一例に過ぎず、本発明は図示された構成に限定されるものではない。
【００１２】
（実施形態１）
＜放射線撮影システムの構成＞
図１は、本発明の一実施の形態に係る放射線撮影システムの構成の一例を示す図である。放射線撮影システムにおいて、１は放射線撮影制御装置、１１は放射線撮影の進捗を管理するＨＩＳ（Ｈｏｓｐｉｔａｌ Ｉｎｆｏｒｍａｔｉｏｎ Ｓｙｓｔｅｍ：院内情報システム）である。また、１２はＲＩＳ（Ｒａｄｉｏｌｏｇｙ Ｉｎｆｏｒｍａｔｉｏｎ Ｓｙｓｔｅｍ：放射線部門内情報システム）、１３はＰＡＣＳ（Ｐｉｃｔｕｒｅ Ａｒｃｈｉｖｉｎｇ ａｎｄ Ｃｏｍｍｕｎｉｃａｔｉｏｎ Ｓｙｓｔｅｍｓ：画像サーバ）である。１４はプリンタ、１７は写損解析システムである。
【００１３】
ＨＩＳ１１は、会計情報を管理するサーバを含んでいても良い。放射線撮影が必要と判断されると、ＨＩＳ端末より検査指示を入力し、依頼先である放射線部門に伝達する。この依頼情報を検査オーダといい、この検査オーダには依頼元の部門名や、検査項目、患者の個人データなどが含まれる。放射線部門はＲＩＳ１２にて検査オーダを受信すると、撮影条件などを付加し、放射線撮影制御装置１へ転送する。放射線撮影制御装置１では受信した検査オーダに従って放射線撮影を実施する。撮影された画像に検査情報を付与し、ＰＡＣＳ１３への転送やプリンタ１４でのプリント出力が行われる。また、放射線撮影制御装置１での検査の実施情報は、ＨＩＳ１１へ転送される。ＨＩＳ１１へ転送された実施情報は、検査の進捗管理以外に、検査後の会計処理にも用いられる。また、写損画像は写損画像の解析が行われる写損解析システム１７へ転送される。
【００１４】
これら各装置間は、例えば、ＬＡＮ（Ｌｏｃａｌ Ａｒｅａ Ｎｅｔｗｏｒｋ）やＷＡＮ（Ｗｉｄｅ Ａｒｅａ Ｎｅｔｗｏｒｋ）等で構成されるネットワーク１５を介して接続されている。なお、これら各装置には、１又は複数のコンピュータが含まれる。コンピュータには、例えば、ＣＰＵ等の主制御部、ＲＯＭ（Ｒｅａｄ Ｏｎｌｙ Ｍｅｍｏｒｙ）、ＲＡＭ（Ｒａｎｄｏｍ Ａｃｃｅｓｓ Ｍｅｍｏｒｙ）等の記憶部が具備される。また、コンピュータには、ネットワークカード等の通信部、キーボード、ディスプレイ又はタッチパネル等の入出力部等が具備されていてもよい。これら各構成要素は、バス等により接続され、主制御部が記憶部に記憶されたプログラムを読み出して実行することで制御される。
【００１５】
＜放射線撮影制御装置の構成＞
ここで、放射線撮影制御装置１は、表示部２と、操作部３と、放射線発生制御部４と、撮影制御部５と、表示制御部１６とを有する。
【００１６】
放射線発生制御部４は、ケーブル９を介して放射線発生部８と接続されており、当該放射線発生部８からの放射線の照射を制御する。放射線発生部８は、例えば、放射線管球により実現され、被写体（例えば、患者の特定部位）に向けて放射線を照射する。
【００１７】
操作部３は、放射線撮影制御装置１における処理を統括制御する。表示部２は、例えば、液晶ディスプレイ等で実現され、各種情報をオペレータ（撮影技師、医師等）に向けて表示する。操作部３は、例えば、マウスや操作ボタン等で実現され、オペレータからの各種指示を装置内に入力する。なお、表示部２及び操作部３は、それらが一体となったタッチパネルで実現されてもよい。
【００１８】
また、撮影制御部５は、ケーブル１０を介して放射線検出器７と接続されており、当該ケーブル１０により両者の間では、電源、画像信号や制御信号等が授受される。放射線検出器７は、被写体を透過した放射線を検出し、当該被写体に基づく放射線画像（放射線画像）を取得する検出器として機能する。すなわち、放射線発生部８及び放射線検出器７が連携して動作することにより放射線撮影部が実現される。なお、放射線検出器７は、立位または臥位の撮影台６に設置されている。
【００１９】
撮影制御部５は、ＲＩＳ１２から受信したオーダ情報のうち少なくとも１つに対応する放射線撮影の開始を指示する指示部として機能する。オーダ情報には、例えば被検者情報と当該被検者についての１または複数の撮影部位が含まれる。ここで、開始の指示はたとえば操作部３がユーザの入力を受けて指示される。あるいは、撮影制御部５が撮影すべきオーダ情報を選択して撮影の開始を指示してもよい。
【００２０】
撮影を実施すると、表示部２に画像が表示される。オペレータは表示された画像に対し、操作部３を介して画像処理、切り出し、アノテーションの付与、幾何変換等の画像編集を実施する。
【００２１】
ただし、被検者の動きによる画像のぶれや、整位の失敗などにより、診断に使用するには不適切な所謂写損画像が得られる場合がある。このような撮影失敗の場合には、再撮影を実施し、診断に適切な画像を得る。再撮影が実施された画像に対応する写損画像は、表示部２において、診断に不適切であることが区別できるよう表示される。
【００２２】
その後、当該オーダ情報に対応する全ての放射線撮影が終了し、ユーザが操作部３を介してオーダの完了を確認する入力を行うと、撮影制御部５は診断画像をＰＡＣＳ１３に送信する。また、再撮影の原因となった写損画像と、再撮影によって得られた診断画像とを外部装置である写損解析システム１７へ送信する。
【００２３】
このようにすることで、写損解析システム１７へ、解析対象の写損画像およびその写損解析における対比対象となる診断画像が送信されるため、写損解析の精度向上に寄与する。
【００２４】
以上が、本発明の一実施形態に係る放射線撮影システムの構成の一例についての説明である。なお、図１に示す構成は、あくまで一例であり、適宜変更できる。例えば、図１では、放射線撮影制御装置１に対してネットワーク１５を介して各種装置が接続されているが、必ずしも放射線撮影制御装置１は、このような装置と接続される必要はない。写損画像および診断画像がＤＶＤのような可搬媒体へ出力され、可搬媒体を介して写損解析システム１７へ入力されても良い。また、このネットワーク１５は有線で構成されていても、一部が無線信号伝送路で構成されていても良い。
【００２５】
＜撮影処理＞
ここで、図１に示す放射線撮影システムによる検査の流れに沿って放射線画像を撮影する際の処理の手順を説明する。
【００２６】
まず、検査依頼書またはＲＩＳ１２からの検査依頼により放射線撮影制御装置１に対して患者情報および検査情報を入力する。患者情報は、患者名、患者ＩＤなどを含み、検査情報は、患者に対して実施する撮影の内容を規定した撮影情報を含む。
【００２７】
放射線撮影制御装置１は、表示制御部１６の制御により、図２に示すような新規検査入力画面を表示部２に表示する。新規検査入力画面は、図２（ａ）に示すように、患者情報入力領域１０１と、患者情報確定ボタン１０２と、依頼検査リスト１０３とを含む。また、新規検査入力画面は、患者情報表示領域１０４と、撮影情報表示領域１０５と、撮影情報入力ボタン１０６と、検査開始ボタン１０７とを含んで構成される。
【００２８】
依頼検査リスト１０３には、ＲＩＳ１２より受信した検査が並べられ一覧表示される。依頼検査リスト１０３よりいずれかの検査を選択すると、図２（ｂ）に示すように、患者情報表示領域１０４には、当該選択された患者に対応する患者情報（患者ＩＤ、患者名、生年月日等）が表示される。また、撮影情報表示領域１０５には、検査ＩＤが表示され、その直ぐ下の領域には、当該検査ＩＤに対応する撮影情報が表示される。撮影情報は、上述した通り、ＲＩＳ１２から受信する。図２の例の場合、撮影情報に対応した撮影方法ボタン１０９（胸部正面ボタン１０９ａ、胸部側面ボタン１０９ｂ）が配されている。撮影情報入力ボタン１０６の押下に従って、図２（ｃ）に示すように撮影情報入力領域１０８を表示し、さらに撮影方法を追加することもできる。図２（ｃ）の例では、撮影情報入力領域１０８に複数の撮影方法選択ボタン１１４が表示されており、これを選択することで撮影方法を追加できる。追加された撮影方法は撮影情報表示領域１０５に胸部正面ボタン１０９ａ、胸部側面ボタン１０９ｂと並べて表示される。各撮影方法は撮影方法ＩＤと対応付けられている。
【００２９】
オペレータは、患者情報及び撮影情報を確認した後、検査開始ボタン１０７を押下する。これにより、実施する検査が確定する。検査開始ボタン１０７の押下に従って、放射線撮影制御装置１は、図３に示すような撮影画面を表示部２に表示する。撮影画面は、撮影時に用いられる画面である。
【００３０】
撮影画面は、基本的には、図２で説明した新規検査入力画面と同様の表示領域を有して構成される。新たに追加される表示領域としては、図３に示すように、画像表示領域１１０と、メッセージ領域１１１と、画像処理設定領域１１２と、検査終了ボタン１１３とが挙げられる。
【００３１】
撮影画面が表示されると、撮影情報表示領域１０５内で最も上部に配された撮影方法ボタン１０９ａがデフォルトで選択状態になっている。これに伴って、放射線撮影制御装置１の撮影制御部５は、当該撮影方法ボタン（撮影方法）に対応して設定された撮影条件（管電圧、管電流、照射時間等）を放射線発生制御部４に向けて送信する。すると、撮影制御部５は、当該撮影条件に従って放射線検出器７を制御して撮影の準備を整える。
【００３２】
準備が整うと、放射線撮影制御装置１は、撮影可能状態へ遷移する。このとき、メッセージ領域１１１には、撮影可能状態であることを示す「Ｒｅａｄｙメッセージ」が表示される。
【００３３】
続いて、オペレータは、撮影方法を確認し、撮影のセッティング及び患者のポジショニングを行う。一連の撮影準備が完了すると、オペレータは、メッセージ領域１１１を参照して撮影可能状態であることを確認した後、放射線照射スイッチ（不図示）を押下する。すると、放射線撮影制御装置１は、放射線発生部８により被写体（患者の特定部位）に向けて放射線を照射させ、放射線検出器７により当該被写体を透過した放射線を検出させる。これにより、放射線画像の撮影が行われる。
【００３４】
撮影が完了すると、放射線撮影制御装置１の撮影制御部５は、放射線検出器７から撮影画像を取得するとともに、当該取得した撮影画像に対して所定の画像処理条件に基づいて画像処理を実施する。所定の画像処理条件は、撮影方法に対応して予め規定されている。
【００３５】
画像処理が終了すると、放射線撮影制御装置１は、当該画像処理された撮影画像を撮影画像表示領域１１０に表示する。オペレータは、当該撮影画像のコントラスト等を変更したい場合、画像処理設定領域１１２に設けられたコントラストや輝度等のボタンを操作する。
【００３６】
同様に、出力画像の切り出し領域を変更したい場合は、切り出しボタン１２２および切り出し枠１２６等を操作し、所望の切り出し領域を指定する。診断情報となる文字列を付与する場合、アノテーションボタン１２３等を操作し、アノテーション１２７に示すような文字列を画像上に重ねる。画像の向きが診断に適さない場合、回転ボタン１２０、反転ボタン１２１等を使って幾何変換を行う。以上のように、オペレータは、当該撮影画像表示領域１１０に表示された撮影画像に対して追加の画像編集を実施できる。
【００３７】
オペレータが撮影に失敗としたと判断した場合には、再撮影ボタン１２４を押下することで、再撮影を実施できる。再撮影ボタン１２４を押下すると、図３（ｂ）に示すように、撮影情報表示領域１０５に再撮影対象と同じ撮影方法ボタン１０９ｃが追加され、撮影制御部５は、当該撮影条件に従って放射線検出器７を制御して撮影の準備を整える。撮影の対象となった画像は写損画像として扱われ、撮影方法ボタン１０９ａにはアイコン等が表示され、写損画像であることが示される。
【００３８】
ＤＩＣＯＭ（Ｄｉｇｉｔａｌ Ｉｍａｇｉｎｇ ａｎｄ ＣＯｍｍｕｎｉｃａｔｉｏｎ ｉｎ Ｍｅｄｉｃｉｎｅ）付帯情報としては、再撮影した画像には再撮影対象の画像と同じシリーズＩＤが付与される。また、写損ボタン１２５を押下すると、再撮影を伴わずに該撮影画像を写損画像として扱うことができる。なお、オペレータが未撮影の撮影方法ボタン１０９を押下した場合には、現在の画像の撮影条件、画像処理条件は保存され、次の撮影が始まる。
【００３９】
オペレータは、上述した手順を繰り返して撮影情報表示領域１０５内の全撮影方法の撮影を実施する。全ての撮影が終了すると、オペレータは、検査終了ボタン１１３を押下する。これにより、一連の検査が終了し、放射線撮影制御装置１は、再度、新規検査入力画面を表示する。このとき、放射線撮影制御装置１は、撮影制御部５において、写損として扱われなかった診断画像を、その検査情報、撮影条件等を付帯情報として付与したうえで、例えば、ＰＡＣＳ１３、プリンタ１４、自装置におけるＲＯＭ等に出力する。さらに、撮影制御部５は、写損画像とその解析において対比に用いられる診断画像とを写損解析システム１７へ出力する。なお、ＲＩＳ１２やＲＯＭ等においては、当該撮影画像と患者情報とを関連付けて格納する。
【００４０】
＜診断画像の抽出方法＞
次に、対比用の診断画像の抽出方法に関して述べる。撮影画像の情報は、例えば、図４に示すような画像情報テーブルとしてデータベースに保存される。画像情報テーブルには、画像ＩＤ、検査ＩＤ、撮影方法ＩＤ、撮影方法名称、ＤＩＣＯＭ付帯情報であるシリーズＩＤや、写損実施情報などが含まれる。放射線撮影制御装置１の撮影制御部５は、検査ＩＤＯ−０００１の出力処理において、写損画像Ｉ−０００１を抽出する。さらに、写損画像Ｉ−０００１と同一シリーズＩＤを持つ画像Ｉ−０００２を対比用の診断画像として抽出する。あるいは、検査ＩＤＯ−０００２における画像Ｉ−０００４、画像Ｉ−０００５のように、同一撮影方法ＩＤを持つ画像、または同一検査内の画像を対比用の診断画像として抽出する。
【００４１】
そのほか、予め撮影方法毎に標準画像を撮影制御部５に保持しておき、写損画像と同一撮影方法ＩＤの標準画像を対比用の診断画像として抽出してもよい。図４に示す画像情報テーブルに保存されている画像の一覧を表示部２に表示し、オペレータに対比用の診断画像を選択させても良い。すなわち、ユーザ選択に基づいて写損画像に対応する対比用の診断画像を抽出してもよい。
【００４２】
＜対比用の診断画像の生成処理＞
次に、図５に示すフローチャートを参照しながら、対比用の診断画像の生成処理の手順を説明する。ステップＳ２０１において、撮影制御部５は、出力画像に施す編集パラメータを読み込む。前述の画像編集の情報は、例えば、図６に示すような画像編集情報テーブルとしてデータベースに保存される。画像編集情報テーブルには、コントラストなどの画像処理パラメータ、切り出し領域の左上、右下を示す相対座標、アノテーション位置を示す相対座標、アノテーション文字列、回転角度、などが含まれる。例えば、Ｉ−０００２を診断画像として出力する場合、画像編集情報テーブルよりＩ−０００２の行のデータが読み込まれる。
【００４３】
続いて、撮影制御部５は、Ｓ２０２において画像処理、Ｓ２０３においてアノテーションの埋め込み処理、Ｓ２０４において切り出し処理、Ｓ２０５において幾何変換処理を順に実施する。これにより出力画像が生成される。
【００４４】
ここで、出力画像が写損画像の対比用の診断画像である場合、ステップＳ２０１において、写損画像の編集パラメータが読み込まれる。例えば、Ｉ−１００２を写損画像に対する対比用の診断画像として出力する場合、写損画像であるＩ−０００１の編集パラメータが読み込まれる。続いて、Ｓ２０２、Ｓ２０３、Ｓ２０４、Ｓ２０５の各処理を実施することにより写損画像と同一の編集条件で画像編集が施された対比用の診断画像が生成される。撮影制御部５は、写損画像と、当該対比用の診断画像とを写損解析システム１７へ出力する。
【００４５】
なお、ステップＳ２０３で埋め込まれるアノテーションに関しては、写損解析の補足情報として写損画像にのみ付与することも考えられる。この場合には、ステップＳ２０１における読み込みにおいて、対比用の診断画像のアノテーション編集情報として対比用の診断画像であるＩ−０００２の情報を読み込み、他の編集情報については写損画像であるＩ−０００１の情報を読み込む。
【００４６】
本発明によれば、写損画像と、写損画像の解析に適した対比用の診断画像とを収集するための技術を提供することができる。また、診断画像には診断支援目的の処理が施されており、写損解析における対比に沿わない場合があるが、本発明によれば、同じ処理が施された画像を出力するため、写損解析に適した画像収集が可能となる。
【００４７】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００４８】
１：放射線撮影制御装置、２：表示部、３：操作部、４：放射線発生制御部、５：撮影制御部、６：撮影台、７：放射線検出器、８：放射線発生部、９，１０：ケーブル、１１：ＨＩＳ、１２：ＲＩＳ、１３：ＰＡＣＳ、１４：プリンタ、１５：ネットワーク、１６：表示制御部、１７：写損解析システム
【図１】
2017192509.tif 000003
【図２】
2017192509.tif 000004
【図３】
2017192509.tif 000005
【図４】
2017192509.tif 000006
【図５】
2017192509.tif 000007
【図６】
2017192509.tif 000008
【手続補正書】
【提出日】平成29年1月18日(2017.1.18)
【手続補正１】
【補正対象書類名】特許請求の範囲
【補正対象項目名】全文
【補正方法】変更
【補正の内容】
【特許請求の範囲】
【請求項１】
撮影手段により撮影された放射線画像を取得する取得手段と、
前記放射線画像が写損画像である場合に前記撮影手段により再撮影された放射線画像を、対比用の診断画像として抽出する抽出手段と、
前記写損画像と前記対比用の診断画像とを外部装置へ出力する出力手段と、
を備えることを特徴とする放射線撮影制御装置。
【請求項２】
前記撮影手段により撮影された放射線画像が写損画像であることの入力を受け付ける入力手段をさらに備え、
前記撮影手段は、前記入力手段による入力に応じて放射線画像を再撮影することを特徴とする請求項１に記載の放射線撮影制御装置。
【請求項３】
前記撮影手段により撮影された放射線画像を編集する編集手段をさらに備え、
前記出力手段は、前記編集手段により同一の編集条件で編集された前記写損画像と前記対比用の診断画像とを前記外部装置へ出力することを特徴とする請求項１又は２に記載の放射線撮影制御装置。
【請求項４】
前記抽出手段は、前記写損画像と同一のシリーズＩＤが付与された放射線画像を前記対比用の診断画像として抽出することを特徴とする請求項１乃至３の何れか１項に記載の放射線撮影制御装置。
【請求項５】
前記シリーズＩＤはＤＩＣＯＭ付帯情報であることを特徴とする請求項４に記載の放射線撮影制御装置。
【請求項６】
前記抽出手段は、前記写損画像と同一の撮影方法ＩＤが付与された放射線画像を前記対比用の診断画像として抽出することを特徴とする請求項１乃至３の何れか１項に記載の放射線撮影制御装置。
【請求項７】
前記抽出手段は、前記写損画像と同一の検査に属する放射線画像を前記対比用の診断画像として抽出することを特徴とする請求項１乃至３の何れか１項に記載の放射線撮影制御装置。
【請求項８】
前記抽出手段は、撮影方法ごとに予め保持された標準画像から、前記写損画像と同一の撮影方法ＩＤを有する標準画像を前記対比用の診断画像として抽出することを特徴とする請求項１乃至３の何れか１項に記載の放射線撮影制御装置。
【請求項９】
前記抽出手段は、ユーザ選択に基づいて前記写損画像に対応する対比用の診断画像を抽出することを特徴とする請求項１乃至３の何れか１項に記載の放射線撮影制御装置。
【請求項１０】
放射線撮影制御装置の制御方法であって、
取得手段が、撮影手段により撮影された放射線画像を取得する取得工程と、
抽出手段が、前記放射線画像が写損画像である場合に前記撮影手段により再撮影された放射線画像を、対比用の診断画像として抽出する抽出工程と、
出力手段が、前記写損画像と前記対比用の診断画像とを外部装置へ出力する出力工程と、
を有することを特徴とする放射線撮影制御装置の制御方法。
【請求項１１】
コンピュータを、請求項１乃至９の何れか１項に記載の放射線撮影制御装置の各手段として機能させるためのプログラム。